(57)【特許請求の範囲】
【請求項１】
液晶層の一面側において、複数の信号電極が一方向に配列され、前記液晶層の他面側において、それぞれアノードとカソードからなる複数組の走査電極が、前記信号電極の配列方向と直交する方向に配列され、各組のアノードが共通に接続されてコモンアノードとされ、各組のアノードとカソードとの間で１水平期間ごとに順次、プラズマ放電が生起されるプラズマアドレス型液晶表示素子を駆動する方法であって、
連続する２水平期間ごとに非反転側期間および反転側期間を設定したときの非反転側期間と反転側期間との間で中点電圧を中心に反転する映像信号電圧を、前記信号電極に印加するとともに、この映像信号電圧の反転に同期して、前記非反転側期間と前記反転側期間との間で中点電圧を中心に反転するコモンアノード駆動電圧を、前記コモンアノードに印加する駆動方法。
【請求項２】
請求項１の駆動方法において、
前記映像信号電圧は、デジタル映像データをアナログ映像信号に変換したものとするとともに、次の水平期間のデジタル映像データの映像信号電圧への変換が終了するまでホールドさせる駆動方法。
【請求項３】
液晶層の一面側において、複数の信号電極が一方向に配列され、前記液晶層の他面側において、それぞれアノードとカソードからなる複数組の走査電極が、前記信号電極の配列方向と直交する方向に配列され、各組のアノードが共通に接続されてコモンアノードとされ、各組のアノードとカソードとの間で１水平期間ごとに順次、プラズマ放電が生起されるプラズマアドレス型液晶表示素子を駆動する装置であって、
連続する２水平期間ごとに非反転側期間および反転側期間を設定したときの非反転側期間と反転側期間との間で中点電圧を中心に反転する映像信号電圧を生成して、前記信号電極に印加する信号電極駆動部と、
前記映像信号電圧の反転に同期して、前記非反転側期間と前記反転側期間との間で中点電圧を中心に反転するコモンアノード駆動電圧を生成して、前記コモンアノードに印加するコモンアノード駆動部と、
を備える駆動装置。
【請求項４】
請求項３の駆動装置において、
前記信号電極駆動部は、１水平期間分のデジタル映像データを１水平期間、ホールドするデータホールド回路と、このデータホールド回路によってホールドされたデジタル映像データを映像信号電圧に変換する、チャージおよびホールド型のＤ／Ａ変換器と、このＤ／Ａ変換器の出力の映像信号電圧を、次の水平期間のデジタル映像データの映像信号電圧への変換が終了するまでホールドする出力用ホールド回路とを備える駆動装置。
【請求項５】
液晶層の一面側において、複数の信号電極が一方向に配列され、前記液晶層の他面側において、それぞれアノードとカソードからなる複数組の走査電極が、前記信号電極の配列方向と直交する方向に配列され、各組のアノードが共通に接続されてコモンアノードとされ、各組のアノードとカソードとの間で１水平期間ごとに順次、プラズマ放電が生起されるプラズマアドレス型液晶表示素子と、請求項３または４に記載の駆動装置とを備えるプラズマアドレス型液晶表示装置。
【発明の詳細な説明】
【０００１】
【発明の属する技術分野】
この発明は、プラズマアドレス型液晶表示素子を駆動する方法および装置に関する。
【０００２】
【従来の技術】
ＴＦＴ（Ｔｈｉｎ  Ｆｉｌｍ  Ｔｒａｎｓｉｓｔｏｒ）液晶表示素子並みの薄さを実現できるとともに、ＴＦＴ液晶表示素子に比べて容易に大画面を実現できる表示装置として、プラズマアドレス型液晶表示素子を用いた表示装置が考えられている。
【０００３】
“Ｐｌａｓｍａ  Ａｄｄｒｅｓｓｅｄ  Ｌｉｑｕｉｄ  Ｃｒｙｓｔａｌ”の略から、以下では、プラズマアドレス型液晶表示素子をＰＡＬＣ表示素子、これを用いたプラズマアドレス型液晶表示装置をＰＡＬＣ表示装置と称する。
【０００４】
図１３は、ＰＡＬＣ表示素子の一例を示す。ＰＡＬＣ表示素子１は、その背面に配置されたバックライト光源からの光を、アクティブマトリックス方式により選択的に、かつ制御された透過率で、透過させることによって画像を表示する、透過型液晶表示素子の一種である。
【０００５】
この例では、背面ガラス基板２と前面ガラス基板３との間に、ガラス薄板などからなる絶縁層８を設け、背面ガラス基板２と絶縁層８との間に、画面の水平方向に延長する隔壁４を多数、画面の垂直方向に一定間隔で配列して、中空状に仕切られたチャンネル路５を多数、例えば４８０ライン分形成し、各チャンネル路５内において背面ガラス基板２上に、アノード６およびカソード７を、それぞれ画面の水平方向に延長させ、互いに画面の垂直方向に対向させて形成し、各チャンネル路５内にプラズマガスとしてヘリウムガスなどの混合希ガスを充填して、各チャンネル路５を密封する。
【０００６】
絶縁層８の前面には、例えばＴＮ（Ｔｗｉｓｔｅｄ  Ｎｅｍａｔｉｃ）液晶からなる液晶層９を形成し、液晶層９上に、ＲＧＢ（赤、緑、青）各色の光を透過させるストライプ状のカラーフィルタ１０Ｒ，１０Ｇ，１０Ｂを多数、例えば８５４組、画面の水平方向に一定間隔で配列して形成し、カラーフィルタ１０Ｒ，１０Ｇ，１０Ｂ上に、それぞれＩＴＯ（Ｉｎｄｉｕｍ  Ｔｉｎ  Ｏｘｉｄｅ）などからなるストライプ状の透明電極１１Ｒ，１１Ｇ，１１Ｂを形成する。チャンネル路５と透明電極１１Ｒ，１１Ｇ，１１Ｂの組とが交差する部分が、画素を形成する。
【０００７】
背面ガラス基板２の背面側および前面ガラス基板３の前面側には、偏光フィルタ（偏光子）１２および１３を配置する。
【０００８】
上記のＰＡＬＣ表示素子１では、各チャンネル路５のカソード７に１水平期間ごとに順次、アノード６に対して負の所定電圧、例えば−３００Ｖの電圧を印加して、各チャンネル路５のアノード６とカソード７との間で１水平期間ごとに順次、プラズマ放電を生起させ、プラズマガスをイオン化する。これによって、チャンネル路５には、イオン化したプラズマ粒子が消滅するまでの間、導電体、いわゆるプラズマチャンネルが形成される。
【０００９】
この状態で、ＲＧＢ各色の色信号電圧を透明電極１１Ｒ，１１Ｇ，１１Ｂに印加すると、液晶層９の、色信号電圧が印加された透明電極１１Ｒ，１１Ｇ，１１Ｂとプラズマチャンネルが形成されたチャンネル路５とが交差する画素部分に信号電圧が印加されて、その部分のＰＡＬＣ表示素子１の透過率が変化する。
【００１０】
したがって、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の、フィールド周波数が６０Ｈｚ、１フィールドが５２５水平期間、１水平周期が約３２μ秒のノンインターレース映像信号につき、１フィールド中の、例えば４８０水平期間の有効画面期間において、各チャンネル路５で１水平期間ごとに順次、プラズマ放電を生起させるとともに、各水平期間のＲＧＢ各色の色信号電圧を透明電極１１Ｒ，１１Ｇ，１１Ｂに印加することによって、１フィールド分のカラー画像を表示することができる。
【００１１】
以下では、透明電極１１Ｒ，１１Ｇ，１１Ｂのいずれか一つまたは全体を「透明電極１１」、カラーフィルタ１０Ｒ，１０Ｇ，１０Ｂのいずれか一つまたは全体を「カラーフィルタ１０」とする。
【００１２】
プラズマ放電によるプラズマチャンネルの形成につき、さらに示すと、図１４に示すように、走査パルスＳＰによってスイッチ１４がオンにされて、カソード７にアノード６に対して−３００Ｖの電圧が印加されると、アノード６とカソード７との間でプラズマ放電を生じ、プラズマガスのイオン化によってプラズマチャンネル１５が形成されて、図１５に示すように、チャンネル路５内の仮想スイッチ１６がオンとなり、絶縁層８の直下に仮想電極１７が形成されて、液晶層９、カラーフィルタ１０および絶縁層８の３層全体に信号電圧Ｖｓが印加されるようになる。
【００１３】
ところで、一般に液晶表示素子では、液晶層に常に一方向の直流電圧が印加されると、液晶分子が一方の電極側に片寄って、いわゆる焼き付きを生じる。そこで一般に、液晶層に印加される電圧の極性を１水平期間または１フィールドごとに反転させて、液晶分子の片寄りを防止し、焼き付きを防止している。
【００１４】
上述したＰＡＬＣ表示素子１で、このように液晶層９に印加される電圧の極性を反転させるには、図１４および図１５に示したようにアノード６の電位は０Ｖ（接地電位）にして、透明電極１１に印加される電圧の極性を反転させる方法が考えられる。
【００１５】
しかし、この方法によると、透明電極１１の駆動用に正負、両方向の電源を必要とするとともに、透明電極駆動電圧のＶｐｐ値（ピーク・ツー・ピーク値）が映像信号電圧のＶｐｐ値の２倍になり、例えば、映像信号電圧のＶｐｐ値が６０Ｖの場合、透明電極駆動電圧のＶｐｐ値は１２０Ｖとなる。そのため、透明電極駆動部のＩＣ（Ｉｎｔｅｇｒａｔｅｄ  Ｃｉｒｃｕｉｔ）が高コストになるとともに、透明電極駆動部の消費電力が大きくなる。
【００１６】
そこで、以下に示すように、全てのアノード６を共通に接続してコモンアノードとし、透明電極１１に印加する映像信号電圧を、非反転側の水平期間と反転側の水平期間との間で中点電圧を中心に反転させるとともに、この映像信号電圧の反転に同期して中点電圧を中心に反転する電圧を、コモンアノード駆動電圧としてコモンアノードに印加する、コモンアノード反転駆動方式と呼ばれる駆動方法が考えられている。
【００１７】
ＴＮ液晶からなる液晶層は、これに印加される電圧が０Ｖのときには、液晶分子の配列方向が液晶層の上下間で９０°連続的に捩じれた状態にあって、入射直線偏光の偏光方向を９０°回転させ、印加される電圧が所定電圧になると、液晶分子の配向方向の捩じれが消失し、液晶分子が電界方向に配列されて、９０°の旋光性が消失する。
【００１８】
したがって、上述したＰＡＬＣ表示素子１の、液晶層９に印加される電圧に対する透過率（輝度）の特性は、偏光フィルタ１２および１３の透過偏光方向が互いに平行な場合には、例えば、図１６の実線１８に示すように、液晶印加電圧の増加とともに透過率（輝度）が増加する特性となり、逆に偏光フィルタ１２および１３の透過偏光方向が互いに直交する場合には、例えば、図１６の破線１９に示すように、液晶印加電圧の増加とともに透過率（輝度）が低下する特性となる。
【００１９】
ただし、この場合の液晶印加電圧は、液晶層９、カラーフィルタ１０および絶縁層８の３層全体に印加される電圧であり、かつ実線１８または破線１９は、その液晶印加電圧の絶対値が６０Ｖのとき、透過率（輝度）が１００％（１００ＩＲＥ）または０％（０ＩＲＥ）となる場合である。
【００２０】
コモンアノード反転駆動方式では、例えば、図１６の実線１８のように、液晶印加電圧の絶対値が０〜６０Ｖの範囲で、液晶印加電圧の増加とともに輝度が増加する場合、例えば、液晶印加電圧の絶対値を６０Ｖとし、輝度を１００ＩＲＥにするときには、図１７に示すように、非反転側の水平期間では、透明電極駆動電圧として６０Ｖの映像信号電圧を透明電極１１に印加すると同時に、コモンアノード駆動電圧として０Ｖの電圧をコモンアノードに印加し、反転側の水平期間では、透明電極駆動電圧として非反転側の６０Ｖに対して３０Ｖの中点電圧を中心に反転した０Ｖの映像信号電圧を透明電極１１に印加すると同時に、コモンアノード駆動電圧として非反転側の０Ｖに対して３０Ｖの中点電圧を中心に反転した６０Ｖの電圧をコモンアノードに印加する。
【００２１】
このとき、映像信号電圧にアナログ変換する前のデジタル映像データ（ＲＧＢ各色のデジタル色データ）は、これを７ビットとするとき、非反転側の水平期間では、データ値が最大値１２７であり、反転側の水平期間では、データ値を最大値１２７から最小値０に変換する。
【００２２】
したがって、このとき、同図に示すように、液晶印加電圧（透明電極駆動電圧とコモンアノード駆動電圧との差）は、非反転側の水平期間では＋６０Ｖ、反転側の水平期間では−６０Ｖとなって、非反転側および反転側のいずれの水平期間においても、輝度が１００ＩＲＥとなる。
【００２３】
液晶印加電圧の絶対値を０Ｖとし、輝度を０ＩＲＥにするときには、図１８に示すように、非反転側の水平期間では、透明電極駆動電圧として０Ｖの映像信号電圧を透明電極１１に印加すると同時に、コモンアノード駆動電圧として０Ｖの電圧をコモンアノードに印加し、反転側の水平期間では、透明電極駆動電圧として非反転側の０Ｖに対して３０Ｖの中点電圧を中心に反転した６０Ｖの映像信号電圧を透明電極１１に印加すると同時に、コモンアノード駆動電圧として非反転側の０Ｖに対して３０Ｖの中点電圧を中心に反転した６０Ｖの電圧をコモンアノードに印加する。
【００２４】
このとき、映像信号電圧にアナログ変換する前のデジタル映像データ（ＲＧＢ各色のデジタル色データ）は、これを７ビットとするとき、非反転側の水平期間では、データ値が最小値０であり、反転側の水平期間では、データ値を最小値０から最大値１２７に変換する。
【００２５】
したがって、このとき、同図に示すように、液晶印加電圧（透明電極駆動電圧とコモンアノード駆動電圧との差）は、非反転側および反転側のいずれの水平期間においても０Ｖとなって、非反転側および反転側のいずれの水平期間においても、輝度が０ＩＲＥとなる。
【００２６】
すなわち、コモンアノード反転駆動方式によれば、コモンアノード駆動電圧を中点電圧を中心に１水平期間ごとに反転させることによって、透明電極駆動電圧の極性を反転させることなく（透明電極駆動電圧は中点電圧を中心に１水平期間ごとに反転させるが、極性は反転させない）、透明電極駆動電圧の極性を１水平期間ごとに反転させた場合と同様に、液晶印加電圧の極性を１水平期間ごとに反転させることができ、ＰＡＬＣ表示素子１の焼き付きを防止することができる。しかも、透明電極駆動電圧の極性を反転させないので、透明電極１１の駆動用に正負、両方向の電源を必要としないとともに、透明電極駆動電圧のＶｐｐ値を映像信号電圧のＶｐｐ値と同じにすることができる。そのため、透明電極駆動部のＩＣを低コストにすることができるとともに、透明電極駆動部の消費電力を小さくすることができる。
【００２７】
【発明が解決しようとする課題】
〔第１の課題〕
しかしながら、上述した従来のコモンアノード反転駆動方式では、図１７および図１８に示すように、コモンアノード駆動電圧は、水平期間の境で矩形波状に反転する電圧となるのに対して、透明電極駆動電圧、すなわち映像信号電圧は、例えば、元のデジタル映像データを、非反転側の水平期間では反転させることなく、反転側の水平期間では各ビットの値を反転させて、１水平期間分ラッチし、１水平期間ホールドして、ＰＡＬＣ表示素子１の、その水平期間に対応するラインのチャンネル路５でプラズマ放電を生じるとき、１水平期間分並列に読み出し、チャージ＆ホールド型のＤ／Ａ変換器によりアナログ映像信号に変換することによって生成するので、コモンアノード駆動電圧のように水平期間の境で矩形波状に反転する電圧とならず、水平期間の前側区間において、ある傾斜で増加し、水平期間の後側区間において、ある傾斜で減少する台形波状の電圧となる。
【００２８】
そのため、図１８のように輝度を０ＩＲＥにするときには、透明電極駆動電圧とコモンアノード駆動電圧との差の電圧として、反転側の水平期間の前側および後側の区間において、輝度を１００ＩＲＥにするような−６０Ｖのスパイク電圧Ｖｍを生じる。
【００２９】
そして、プラズマ放電によってチャンネル路５にプラズマチャンネルが形成されてから、プラズマチャンネルの消滅によってチャンネル路５のインピーダンスが無限大に戻るまでの、いわゆるディケイ時間は、約３２μ秒の水平期間中の２０数μ秒を占めるというように長く、それより短縮化することが難しいので、この−６０Ｖのスパイク電圧Ｖｍが、そのまま液晶印加電圧として液晶層９に印加されて、そのスパイク電圧Ｖｍの区間では輝度が１００ＩＲＥになってしまい、全体として表示画像のコントラストが低下してしまう。すなわち、４水平周期という単位時間でみたとき、４回にも渡って、スパイク電圧Ｖｍを生じ、輝度が１００ＩＲＥになるので、コントラストの低下が大きくなる。
【００３０】
そこで、この発明は、コモンアノード反転駆動方式によってプラズマアドレス型液晶表示素子を駆動する場合に、第１に、コントラストの低下を軽減することができるようにしたものである。
【００３１】
〔第２の課題〕
さらに、従来の駆動方法では、イエロー、マゼンタまたはシアンを表示する場合、本来の駆動に関係のない無駄な電力が消費され、消費電力が大きくなる。図１９を用いて、これを示す。
【００３２】
図１９は、マゼンタを表示する場合で、容量Ｃｂｒは、青用の透明電極１１Ｂと赤用の透明電極１１Ｒとの間の容量、容量Ｃｒｇは、赤用の透明電極１１Ｒと緑用の透明電極１１Ｇとの間の容量、容量Ｃｇｂは、緑用の透明電極１１Ｇと青用の透明電極１１Ｂとの間の容量である。電圧Ｖｂは、透明電極１１Ｂに印加される青の色信号電圧であり、電圧Ｖｒは、透明電極１１Ｒに印加される赤の色信号電圧であり、電圧Ｖｇは、透明電極１１Ｇに印加される緑の色信号電圧である。
【００３３】
青と赤の加法混色であるマゼンタを表示する場合には、色信号電圧ＶｂおよびＶｒは、非反転側の水平期間では６０Ｖ、反転側の水平期間では０Ｖとなり、色信号電圧Ｖｇは逆に、非反転側の水平期間では０Ｖ、反転側の水平期間では６０Ｖとなる。すなわち、色信号電圧ＶｂおよびＶｒは、互いに同相かつ同レベルとなるが、色信号電圧Ｖｇは、色信号電圧ＶｂおよびＶｒに対して逆相となる。
【００３４】
そのため、透明電極１１Ｂ，１１Ｒ間の容量Ｃｂｒには、塗り潰していない枠ＢＲで示すように、非反転側および反転側のいずれの水平期間の、いずれの区間においても、充電を生じないが、透明電極１１Ｒ，１１Ｇ間の容量Ｃｒｇおよび透明電極１１Ｇ，１１Ｂ間の容量Ｃｇｂには、枠ＲＧおよびＧＢ中の塗り潰した部分で示すように、非反転側および反転側の水平期間の、それぞれの容量を形成する２つの透明電極のうちの一方に印加される色信号電圧が０Ｖから６０Ｖに増加する区間、および６０Ｖから０Ｖに減少する区間において、充電を生じ、本来の駆動に関係のない無駄な電力が消費される。
【００３５】
イエローまたはシアンを表示する場合にも、同様である。これに対して、白を表示する場合には、赤、緑、青の色信号電圧が全て、同相かつ同レベルとなるので、隣接する透明電極間の容量への充電を生じず、無駄な電力は消費されない。
【００３６】
さらに、従来の駆動方法では、このようにイエロー、マゼンタまたはシアンを表示する場合には、無駄な電力が消費され、消費電力が大きくなるので、一つのコラムドライバＩＣによって３２本分などの多数の透明電極に同時に映像信号電圧を印加する場合には、大きな放熱板が必要になる。
【００３７】
そこで、この発明は、コモンアノード反転駆動方式によってプラズマアドレス型液晶表示素子を駆動する場合に、第２に、上記の第１に加えて、無駄な電力消費を低減することができるようにしたものである。
【００３８】
【課題を解決するための手段】
第１の発明は、
液晶層の一面側において、複数の信号電極が一方向に配列され、前記液晶層の他面側において、それぞれアノードとカソードからなる複数組の走査電極が、前記信号電極の配列方向と直交する方向に配列され、各組のアノードが共通に接続されてコモンアノードとされ、各組のアノードとカソードとの間で１水平期間ごとに順次、プラズマ放電が生起されるプラズマアドレス型液晶表示素子を駆動する方法であって、
特に、連続する２水平期間ごとに非反転側期間および反転側期間を設定したときの非反転側期間と反転側期間との間で中点電圧を中心に反転する映像信号電圧を、前記信号電極に印加するとともに、この映像信号電圧の反転に同期して、前記非反転側期間と前記反転側期間との間で中点電圧を中心に反転するコモンアノード駆動電圧を、前記コモンアノードに印加するものである。
【００３９】
第２の発明では、第１の発明の駆動方法において、
前記映像信号電圧は、デジタル映像データをアナログ映像信号に変換したものとするとともに、次の水平期間のデジタル映像データの映像信号電圧への変換が終了するまでホールドさせる。
【００４０】
上記の第１の発明の駆動方法においては、非反転側期間および反転側期間を、それぞれ連続する２水平期間とすることによって、輝度を０ＩＲＥにする場合の液晶印加電圧における、輝度を１００ＩＲＥにするなど、０ＩＲＥより高くするような電圧の、単位時間あたりの、すなわち４水平周期あたりの発生回数が減少し、コントラストの低下が軽減される。
【００４１】
上記の第２の発明の駆動方法においては、さらに、デジタル映像データをアナログ映像信号に変換することにより得られる映像信号電圧を、次の水平期間のデジタル映像データの映像信号電圧への変換が終了するまでホールドさせることによって、イエロー、マゼンタまたはシアンを表示する場合における、隣接する信号電極に印加される色信号電圧の相違による隣接する信号電極間の容量への充電による無駄な電力消費が減少する。
【００４２】
【発明の実施の形態】
図１は、この発明のＰＡＬＣ表示装置の一実施形態の全体構成を示す。
【００４３】
ＰＡＬＣ表示素子１は、図１３に示したものと同じであるが、各チャンネル路５のアノード６を共通に接続してコモンアノード６ｃとする。以下の例は、チャンネル路５を４８０ライン分（カソード７を４８０本）、透明電極１１を８５４×３本、形成する場合である。
【００４４】
〔装置の概要の構成および動作…図１、図２〕
図１では省略したが、ＮＴＳＣ復調部２１の前段には、映像信号選択入力部として、ＮＴＳＣ方式のＵＶ（ＵＨＦ／ＶＨＦ）チューナやＢＳチューナなどの放送受信手段、およびＶＴＲなどの外部機器から出力されたＮＴＳＣ映像信号が入力される一つまたは複数の入力端子を設け、その映像信号選択入力部で選択したＮＴＳＣ映像信号を、ＮＴＳＣ復調部２１に供給する。
【００４５】
ＮＴＳＣ復調部２１は、その入力ＮＴＳＣ映像信号から輝度信号と色差信号を復調して、それぞれを倍速変換部２２に送出するとともに、復調した輝度信号から同期信号を抽出して、システム制御部３１に供給する。
【００４６】
システム制御部３１は、マイクロコンピュータによって構成され、同期信号に同期した動作クロックを生成して、装置各部の処理を同期制御する。また、ＬＣＤ（Ｌｉｑｕｉｄ  Ｃｒｙｓｔａｌ  Ｄｉｓｐｌａｙ）コントローラ３２は、システム制御部３１からの同期信号および動作クロックによって、カウントクロックＣＬＫ、反転パルスＩＮＶおよび走査パルスＳＰを生成する。
【００４７】
反転パルスＩＮＶは、倍速変換部２２から得られる後述のノンインターレース映像信号の２水平期間ごとに反転するパルスであり、走査パルスＳＰは、同じノンインターレース映像信号の１水平期間ごとに得られる、プラズマ放電の生起用のパルスである。
【００４８】
倍速変換部２２内には、１フレーム分の映像信号（輝度信号および色差信号）を格納できるフレームメモリを設け、これによって倍速変換部２２では、隣接する２フィールドの間での映像信号の変化を検出して、映像信号の静止画領域と動画領域を判別する。
【００４９】
そして、静止画領域では、その時のフィールドおよび直前のフィールドの、それぞれ１水平期間の映像信号を、書き込み時の２倍の速度で、それぞれ１回ずつ連続して読み出す。また、動画領域では、その時のフィールドの、ある水平期間の映像信号と、その直前および直後の水平期間の映像信号とによる内挿補間によって、それぞれ補間映像信号を生成し、その補間映像信号を、書き込み時の２倍の速度で読み出す。
【００５０】
これによって、倍速変換部２２からは、フィールド周波数が６０Ｈｚ、１フィールドが５２５水平期間、１水平周期が約３２μ秒のノンインターレース映像信号を得る。
【００５１】
このノンインターレース映像信号は、映像信号処理部２３において、カラー調整やヒュー調整などの処理を施した後、逆マトリクス処理によってＲＧＢ各色の色信号に変換する。
【００５２】
その変換後のＲＧＢ各色の色信号は、それぞれ、Ａ／Ｄ変換器２４で８ビットのデジタル色データに変換し、さらに誤差拡散処理部２５で等価的に８ビット相当の精度を有する７ビットのデジタル色データに変換する。
【００５３】
さらに、誤差拡散処理部２５からのＲＧＢ各色のデジタル色データは、ホワイトバランス調整部２６でホワイトバランス調整の処理を施した後、データ反転制御部２７に供給する。以下では、「データ」とはデジタルデータを意味するものとする。
【００５４】
データ反転制御部２７では、ＬＣＤコントローラ３２からの反転パルスＩＮＶによって、ホワイトバランス調整部２６からの映像データ（ＲＧＢ各色の色データ）を、非反転側の連続する２水平期間では反転させることなく、反転側の連続する２水平期間では各ビットの値を反転させて、コラムドライバ２８に供給する。
【００５５】
コラムドライバ２８では、１フィールド中の４８０水平期間の有効画面期間内の各水平期間ごとに、データ反転制御部２７からの１水平期間分（８５４画素分）の映像データ（ＲＧＢ各色の色データ）をラッチし、１水平期間ホールドして、後述のようにプラズマドライバ３５によってＰＡＬＣ表示素子１の、その水平期間に対応するラインのチャンネル路５でプラズマ放電を生じるとき、その水平期間の映像データ（ＲＧＢ各色の色データ）を１水平期間分、並列に読み出してＤ／Ａ変換器２９に出力する。
【００５６】
Ｄ／Ａ変換器２９では、その映像データ（ＲＧＢ各色の色データ）をアナログ映像信号に変換して、例えばＶｐｐ値が６０Ｖの映像信号電圧（ＲＧＢ各色の色信号電圧）を生成し、これを透明電極駆動電圧として、ＰＡＬＣ表示素子１の透明電極１１（１１Ｒ，１１Ｇ，１１Ｂ）に印加する。
【００５７】
補正波形発生部３３は、ＬＣＤコントローラ３２からのカウントクロックＣＬＫに基づいて、ＰＡＬＣ表示素子１の、例えば図１６の実線１８に示したような液晶印加電圧−透過率（輝度）の特性を等価的に線形に補正するような補正波形電圧ＶＲを生成して、Ｄ／Ａ変換器２９に供給する。
【００５８】
コモンアノード駆動部３４は、ＬＣＤコントローラ３２からの反転パルスＩＮＶによって、Ｄ／Ａ変換器２９からの透明電極駆動電圧（映像信号電圧）の反転に同期して、連続する２水平期間ごとに中点電圧を中心に反転するコモンアノード駆動電圧を生成して、コモンアノード６ｃに印加する。
【００５９】
プラズマドライバ３５は、ＬＣＤコントローラ３２からの走査パルスＳＰによって、画面の上側から下側への方向に、ＰＡＬＣ表示素子１の各カソード７に１水平期間ごとに順次、プラズマ電源３６からの−３００Ｖの電圧を印加して、ＰＡＬＣ表示素子１の各チャンネル路５で１水平期間ごとに順次、プラズマ放電を生起させる。
【００６０】
システム制御部３１は、上述したように装置各部の処理を同期制御するとともに、ユーザが操作部３７から入力した指示に従って、装置の電源のオンオフ、ＮＴＳＣ復調部２１の前段の映像信号選択入力部における映像信号の選択、映像信号処理系統における各種調整などの各種制御を行うものとする。
【００６１】
バックライト光源３９は、ＰＡＬＣ表示素子１を背面側から照明するもので、これから出射した光がＰＡＬＣ表示素子１の各画素部分を、それぞれ制御された透過率で透過することによって、ＰＡＬＣ表示素子１に画像が表示される。バックライト光源３９は、システム制御部３１によって、その明るさを調整してピクチャー調整を行うことができるものとする。
【００６２】
図２に、プラズマドライバ３５の一例を示す。上述したように、ＰＡＬＣ表示素子１の各アノード６は共通に接続してコモンアノード６ｃとする。
【００６３】
プラズマドライバ３５は、プラズマ電源３６の正極側をコモンアノード６ｃに接続し、ＰＡＬＣ表示素子１の各カソード７を、それぞれＮＭＯＳ（ＮチャンネルのＭＯＳ）トランジスタ５１のドレインに接続するとともに、それぞれドレイン抵抗ＲＤを介してコモンアノード６ｃに接続し、各ＮＭＯＳトランジスタ５１のソースを共通に接続して、その接続点を、例えば１００ｍＡの定電流源５２を介してプラズマ電源３６の負極側に接続し、走査パルスＳＰとして、例えば１０μ秒のパルス幅の正極性パルスが、各ＮＭＯＳトランジスタ５１のゲートに１水平期間ごとに順次印加されるように構成する。定電流源５２は、プラズマ放電の電流を一定にし、安定したプラズマ放電が行われるようにするものである。
【００６４】
これによって、各ＮＭＯＳトランジスタ５１が１水平期間ごとに順次オンとなって、ＰＡＬＣ表示素子１の各カソード７に１水平期間ごとに順次、−３００Ｖの電圧が印加され、各チャンネル路５で１水平期間ごとに順次、プラズマ放電を生じる。図２は、１ライン目のアノード６とカソード７との間でプラズマ放電を生じた状態を示している。
【００６５】
〔第１の実施形態…図３〜図８〕
第１の実施形態では、図１に示したように、Ｄ／Ａ変換器２９の出力の映像信号電圧を、そのまま透明電極駆動電圧として透明電極１１に印加する。
【００６６】
図３は、この場合の透明電極駆動部の一例を示し、透明電極駆動部をコラムドライバ２８とＤ／Ａ変換器２９とによって構成するとともに、Ｄ／Ａ変換器２９をチャージ＆ホールド型に構成する場合である。ただし、コラムドライバ２８とＤ／Ａ変換器２９との区分は便宜的なものである。
【００６７】
また、同図のシフトレジスタ４１は、ＲＧＢ各色の色データごとに設けるものであり、データラッチ回路４２、コンパレータ４４およびＤ／Ａ変換器２９は、ＲＧＢ各色の色データごとの１水平期間分の各画素ごとに並列に設けるものである。
【００６８】
図１で上述したように、ホワイトバランス調整部２６からのＲＧＢ各色の色データは、０から１２７までの値の７ビットデータであり、データ反転制御部２７において、非反転側の連続する２水平期間では反転されることなく、反転側の連続する２水平期間では各ビットの値が反転されて、コラムドライバ２８に供給される。
【００６９】
コラムドライバ２８では、このデータ反転制御部２７からの１水平期間分（８５４画素分）の色データを、画素ごとに順次、シフトレジスタ４１に取り込み、１水平期間の最後の画素の色データを取り込むと同時に、１水平期間分の色データを、シフトレジスタ４１からデータラッチ回路４２に並列に転送するとともに、アップダウンカウンタ４３をリセットする。
【００７０】
アップダウンカウンタ４３は、リセット後、図４の上段に示すように、１水平期間の先頭から、ＬＣＤコントローラ３２からのカウントクロックＣＬＫをカウントアップし、コンパレータ４４で、このアップダウンカウンタ４３の出力カウント値とデータラッチ回路４２の出力データ値とを比較する。
【００７１】
そして、アップダウンカウンタ４３の出力カウント値がデータラッチ回路４２の出力データ値に一致するまで、コンパレータ４４の高レベルの出力によって、Ｄ／Ａ変換器２９のＮＭＯＳトランジスタ４５をオンとし、補正波形発生部３３からの補正波形電圧ＶＲによってコンデンサ４６を充電する。
【００７２】
したがって、データラッチ回路４２にラッチされた、ある画素の色データの値が、例えば１２５であるときには、アップダウンカウンタ４３がカウントクロックＣＬＫを１２５個、カウントアップするまでは、データラッチ回路４２の出力データ値がアップダウンカウンタ４３の出力カウント値より大きいため、図４の中段に示すように、コンパレータ４４の出力が高レベルとなり、ＮＭＯＳトランジスタ４５がオンとなって、図４の下段に示すように、コンデンサ４６は、補正波形電圧ＶＲに向かって充電される。
【００７３】
そして、アップダウンカウンタ４３が１２６個目のカウントクロックをカウントアップすると、データラッチ回路４２の出力データ値がアップダウンカウンタ４３の出力カウント値より小さくなるので、コンパレータ４４の出力が低レベルとなり、ＮＭＯＳトランジスタ４５がオフとなって、コンデンサ４６は、その時の電圧をホールドする。すなわち、Ｄ／Ａ変換器２９では、チャージ＆ホールド型のＤ／Ａ変換が行われる。
【００７４】
補正波形電圧ＶＲが徐々に下がって、コンデンサ４６のホールド電圧より低くなると、コンデンサ４６の充電電荷がダイオード４７を通じ、補正波形発生部３３を通じて放電して、コンデンサ４６の充電電圧が低下する。このコンデンサ４６の充電電圧は、ＮＭＯＳトランジスタ４８およびＰＭＯＳ（ＰチャンネルのＭＯＳ）トランジスタ４９からなる低出力インピーダンスの出力段６１を介して取り出す。
【００７５】
この場合、出力段６１と同様の回路を構成するＰＭＯＳトランジスタ６２を設けて、そのソースに電流検出用の抵抗６３を接続し、抵抗６３の両端間の電圧を演算増幅器６４の反転入力端に供給し、１Ｖのバイアス電圧を演算増幅器６４の非反転入力端に供給し、演算増幅器６４の出力電圧を、ＮＭＯＳトランジスタ６５、ＰＭＯＳトランジスタ６６およびＮＭＯＳトランジスタ６７からなるカレントミラー回路６８のＮＭＯＳトランジスタ６７のゲートにフィードバックして、出力段６１のバイアス電流を制御する。
【００７６】
例えば、抵抗６３を２０ｋΩにすれば、抵抗６３に５０μＡの電流が流れて、抵抗６３の両端間の電圧が１Ｖとなるようにフィードバック制御されるので、出力段６１のバイアス電流は５０μＡに安定化される。
【００７７】
このようにして、Ｄ／Ａ変換器２９の出力として、各水平期間の各画素の映像データ（ＲＧＢ各色の色データ）の値に応じたホールド値の映像信号電圧（ＲＧＢ各色の色信号電圧）が得られ、その映像信号電圧（ＲＧＢ各色の色信号電圧）が透明電極駆動電圧として、対応する画素の透明電極１１（１１Ｒ，１１Ｇ，１１Ｂ）に印加される。
【００７８】
例えば、映像信号電圧のＶｐｐ値を６０Ｖとして、ホワイトバランス調整部２６からの元の映像データの値が１２７であれば、非反転側の水平期間では、映像データ値が１２７のままにされて、映像信号電圧が６０Ｖにされ、反転側の水平期間では、映像データ値が１２７−１２７＝０に変換されて、映像信号電圧が０Ｖにされる。
【００７９】
ホワイトバランス調整部２６からの元の映像データの値が０であれば、非反転側の水平期間では、映像データ値が０のままにされて、映像信号電圧が０Ｖにされ、反転側の水平期間では、映像データ値が１２７−０＝１２７に変換されて、映像信号電圧が６０Ｖにされる。
【００８０】
図５に、以上のようにして得られる映像信号電圧（Ｄ／Ａ変換器２９の出力電圧）と図２で上述した走査パルスＳＰとのタイミング関係の一例を示す。
【００８１】
各水平期間では、約３２μ秒の水平期間の前寄りの１０μ秒の区間で、対応するＮＭＯＳトランジスタ５１のゲートに走査パルスＳＰを印加し、対応するカソード７に−３００Ｖの電圧を印加する。これによって、対応するラインのアノード６とカソード７との間でプラズマ放電を生じ、２０数μ秒の時間に渡ってプラズマチャンネルが形成される。
【００８２】
そして、１ライン目および２ライン目の水平期間では、それぞれ非反転側の水平期間として、プラズマ放電を生じている区間において約２０μ秒の時間継続して、最大６０Ｖ（最小０Ｖ）の反転されない映像信号電圧を透明電極１１に印加し、コモンアノード駆動電圧を０Ｖにすることによって、液晶印加電圧（映像信号電圧とコモンアノード駆動電圧との差）を最大６０Ｖの正極性の電圧にして、１ライン目および２ライン目の画像を表示する。
【００８３】
３ライン目および４ライン目の水平期間では、それぞれ反転側の水平期間として、プラズマ放電を生じている区間において約２０μ秒の時間継続して、最大６０Ｖ（最小０Ｖ）の反転された映像信号電圧を透明電極１１に印加し、コモンアノード駆動電圧を非反転側の０Ｖに対して３０Ｖの中点電圧を中心に反転した６０Ｖにすることによって、液晶印加電圧を最大−６０Ｖの負極性の電圧にして、３ライン目および４ライン目の画像を表示する。
【００８４】
５ライン目および６ライン目については、１ライン目および２ライン目と同様とし、７ライン目および８ライン目については、３ライン目および４ライン目と同様とする。９ライン目以降についても、同様である。
【００８５】
次のフィールドでは、前のフィールドとは逆に、１ライン目および２ライン目の水平期間では、それぞれ反転側の水平期間として、最大６０Ｖ（最小０Ｖ）の反転された映像信号電圧を透明電極１１に印加し、コモンアノード駆動電圧を６０Ｖにすることによって、液晶印加電圧を最大−６０Ｖの負極性の電圧にして、１ライン目および２ライン目の画像を表示し、３ライン目および４ライン目の水平期間では、それぞれ非反転側の水平期間として、最大６０Ｖ（最小０Ｖ）の反転されない映像信号電圧を透明電極１１に印加し、コモンアノード駆動電圧を０Ｖにすることによって、液晶印加電圧を最大６０Ｖの正極性の電圧にして、３ライン目および４ライン目の画像を表示する。５ライン目以降についても、同様である。
【００８６】
このように液晶印加電圧（映像信号電圧とコモンアノード駆動電圧との差）の極性を１フィールドごとに反転させることによって、ＰＡＬＣ表示素子１の交流駆動を実現することができ、液晶分子の劣化を防止することができる。
【００８７】
そして、この第１の実施形態では、図１６の実線１８のように液晶印加電圧の増加とともに輝度が増加する場合、輝度を１００ＩＲＥにするときには、従来の図１７に対応させて図６に示すように、非反転側の連続する２水平期間では、データ値が元の１２７のまま、映像データがＤ／Ａ変換されて得られる６０Ｖの映像信号電圧が、透明電極１１に印加されると同時に、コモンアノード駆動電圧が０Ｖにされることによって、液晶印加電圧が＋６０Ｖとなり、反転側の連続する２水平期間では、データ値が元の１２７から０に変換されて、映像データがＤ／Ａ変換されて得られる０Ｖの映像信号電圧が、透明電極１１に印加されると同時に、コモンアノード駆動電圧が６０Ｖにされることによって、液晶印加電圧が−６０Ｖとなって、非反転側および反転側のいずれの水平期間においても、輝度が１００ＩＲＥとなる。
【００８８】
一方、輝度を０ＩＲＥにするときには、従来の図１８に対応させて図７に示すように、非反転側の連続する２水平期間では、データ値が元の０のまま映像データがＤ／Ａ変換されて得られる０Ｖの映像信号電圧が、透明電極１１に印加されると同時に、コモンアノード駆動電圧が０Ｖにされることによって、液晶印加電圧が０Ｖとなり、反転側の連続する２水平期間では、データ値が元の０から１２７に変換されて映像データがＤ／Ａ変換されて得られる６０Ｖの映像信号電圧が、透明電極１１に印加されると同時に、コモンアノード駆動電圧が６０Ｖにされることによって、液晶印加電圧が０Ｖとなって、非反転側および反転側のいずれの水平期間においても、輝度が０ＩＲＥとなる。
【００８９】
ただし、このとき、透明電極駆動電圧とコモンアノード駆動電圧との差の電圧として、反転側の連続する２水平期間の前側、中央、後側の３つの区間において、輝度を１００ＩＲＥにするような−６０Ｖのスパイク電圧Ｖｍを生じ、上述したようにプラズマ放電によってチャンネル路５にプラズマチャンネルが形成されてから、プラズマチャンネルの消滅によってチャンネル路５のインピーダンスが無限大に戻るまでの、いわゆるディケイ時間が、２０数μ秒というように長い場合には、この−６０Ｖのスパイク電圧Ｖｍが、そのまま液晶印加電圧として液晶層９に印加されて、そのスパイク電圧Ｖｍの区間では輝度が１００ＩＲＥになり、全体として表示画像のコントラストが低下する。
【００９０】
しかし、この場合、４水平周期という単位時間でみたとき、図１８に示した従来の駆動方法より少ない３回、スパイク電圧Ｖｍを生じ、輝度が１００ＩＲＥになるだけであるので、従来の駆動方法に比べてコントラストの低下が軽減される。
【００９１】
ただし、第１の実施形態では、イエロー、マゼンタまたはシアンを表示する場合の消費電力の問題については、従来の駆動方法と変わらない。図８を用いて、これを示す。
【００９２】
図８は、マゼンタを表示する場合で、容量Ｃｂｒ，Ｃｒｇ，Ｃｇｂは、それぞれ図１９に示したそれと同じであり、電圧Ｖｂ，Ｖｒ，Ｖｇは、それぞれ透明電極１１Ｂ，１１Ｒ，１１Ｇに印加される青、赤、緑の色信号電圧である。
【００９３】
この場合、色信号電圧ＶｂおよびＶｒは、非反転側の連続する２水平期間では、１水平期間ごとに断続的に６０Ｖとなり、反転側の連続する２水平期間では、連続して０Ｖとなり、色信号電圧Ｖｇは逆に、非反転側の連続する２水平期間では、連続して０Ｖとなり、反転側の連続する２水平期間では、１水平期間ごとに断続的に６０Ｖとなる。
【００９４】
そのため、図１９に示した従来の駆動方法と同様に、透明電極１１Ｂ，１１Ｒ間の容量Ｃｂｒには、塗り潰していない枠ＢＲで示すように、非反転側および反転側のいずれの水平期間の、いずれの区間においても、充電を生じないが、透明電極１１Ｒ，１１Ｇ間の容量Ｃｒｇおよび透明電極１１Ｇ，１１Ｂ間の容量Ｃｇｂには、枠ＲＧおよびＧＢ中の塗り潰した部分で示すように、非反転側および反転側の水平期間の、それぞれの容量を形成する２つの透明電極のうちの一方に印加される色信号電圧が０Ｖから６０Ｖに増加する区間、および６０Ｖから０Ｖに減少する区間において、充電を生じ、本来の駆動に関係のない無駄な電力が消費される。
【００９５】
イエローまたはシアンを表示する場合にも、同様である。これに対して、白を表示する場合には、赤、緑、青の色信号電圧が全て、同相かつ同レベルとなるので、隣接する透明電極間の容量への充電を生じず、無駄な電力は消費されない。
【００９６】
〔第２の実施形態…図９〜図１２〕
第２の実施形態では、さらに上述した無駄な電力消費を低減する。そのため、第２の実施形態では、映像データをＤ／Ａ変換することによって得られた映像信号電圧を、次の水平期間の映像データの映像信号電圧への変換が終了するまでホールドさせる。
【００９７】
図９は、この場合の透明電極駆動部の一例を示し、透明電極駆動部をコラムドライバ２８、Ｄ／Ａ変換器２９およびサンプルホールド回路７１によって構成する。コラムドライバ２８およびＤ／Ａ変換器２９は、図３に示したものと同じである。
【００９８】
すなわち、第２の実施形態では、チャージ＆ホールド型のＤ／Ａ変換器２９の出力の映像信号電圧（ＲＧＢ各色の色信号電圧）Ｖｄａを、そのまま透明電極駆動電圧としないで、その映像信号電圧（ＲＧＢ各色の色信号電圧）Ｖｄａをサンプルホールド回路７１に供給して、サンプルホールド用クロックＣｓｈによってサンプルホールドし、そのサンプルホールド出力の映像信号電圧（ＲＧＢ各色の色信号電圧）Ｖｓｈを透明電極駆動電圧として、対応する画素の透明電極１１（１１Ｒ，１１Ｇ，１１Ｂ）に印加する。
【００９９】
図１０に、この場合のＤ／Ａ変換器２９の出力の映像信号電圧Ｖｄａとサンプルホールド回路７１の出力の映像信号電圧Ｖｓｈとの関係を示す。映像信号電圧Ｖｄａが得られる態様は、図４に示した第１の実施形態と同じである。
【０１００】
サンプルホールド用クロックＣｓｈは、コラムドライバ２８の図３に示したアップダウンカウンタ４３がカウントクロックＣＬＫを１２８個、カウントアップした直後の、Ｄ／Ａ変換器２９の出力の映像信号電圧Ｖｄａが一定電圧にホールドされている時点において、１水平周期（約３２μ秒）の間隔で得られるようにし、このサンプルホールド用クロックＣｓｈによって、映像信号電圧Ｖｄａのホールドされている電圧値をサンプリングし、１水平周期ホールドする。したがって、サンプルホールド回路７１の出力の映像信号電圧Ｖｓｈとしては、１水平周期の間、一定電圧にホールドされたものが得られる。
【０１０１】
この第２の実施形態では、イエロー、マゼンタまたはシアンを表示する場合、隣接する透明電極間の容量への充電による無駄な電力消費が大幅に減少する。図１１を用いて、これを示す。
【０１０２】
図１１は、マゼンタを表示する場合で、容量Ｃｂｒ，Ｃｒｇ，Ｃｇｂは、それぞれ図１９に示したそれと同じであり、電圧Ｖｂ，Ｖｒ，Ｖｇは、それぞれ透明電極１１Ｂ，１１Ｒ，１１Ｇに印加される青、赤、緑の色信号電圧、第２の実施形態ではサンプルホールド回路７１の出力の映像信号電圧Ｖｓｈである。
【０１０３】
この場合、色信号電圧ＶｂおよびＶｒは、非反転側の連続する２水平期間では、ほぼ２水平周期に渡って連続して６０Ｖとなり、反転側の連続する２水平期間では、ほぼ２水平周期に渡って連続して０Ｖとなり、色信号電圧Ｖｇは逆に、非反転側の連続する２水平期間では、ほぼ２水平周期に渡って連続して０Ｖとなり、反転側の連続する２水平期間では、ほぼ２水平周期に渡って連続して６０Ｖとなる。
【０１０４】
そのため、透明電極１１Ｂ，１１Ｒ間の容量Ｃｂｒには、塗り潰していない枠ＢＲで示すように、非反転側および反転側のいずれの水平期間の、いずれの区間においても、充電を生じないとともに、透明電極１１Ｒ，１１Ｇ間の容量Ｃｒｇおよび透明電極１１Ｇ，１１Ｂ間の容量Ｃｇｂには、枠ＲＧおよびＧＢ中の塗り潰した部分で示すように、それぞれの容量を形成する２つの透明電極のうちの一方に印加される色信号電圧が０Ｖから６０Ｖに増加し、他方に印加される色信号電圧が６０Ｖから０Ｖに減少する、２水平期間に１回のわずかな区間においてのみ、充電を生じるだけである。
【０１０５】
したがって、隣接する透明電極間の容量への充電による無駄な電力消費が大幅に減少する。イエローまたはシアンを表示する場合にも、同様である。
【０１０６】
また、この第２の実施形態では、第１の実施形態と同様に、透明電極駆動電圧およびコモンアノード駆動電圧を、連続する２水平期間ごとの非反転側の水平期間と反転側の水平期間との間で中点電圧を中心に反転させるので、従来の駆動方法に比べてコントラストの低下が軽減される。
【０１０７】
すなわち、第２の実施形態では、図１６の実線１８のように液晶印加電圧の増加とともに輝度が増加する場合、輝度を０ＩＲＥにするときには、従来の図１８および第１の実施形態の図７に対応させて図１２に示すように、非反転側の連続する２水平期間では、データ値が元の０のまま映像データがＤ／Ａ変換され、その変換出力がサンプルホールドされて得られる０Ｖの映像信号電圧が、透明電極１１に印加されると同時に、コモンアノード駆動電圧が０Ｖにされることによって、液晶印加電圧（映像信号電圧とコモンアノード駆動電圧との差）が０Ｖとなり、反転側の連続する２水平期間では、データ値が元の０から１２７に変換されて映像データがＤ／Ａ変換され、その変換出力がサンプルホールドされて得られる６０Ｖの映像信号電圧が、透明電極１１に印加されると同時に、コモンアノード駆動電圧が６０Ｖにされることによって、液晶印加電圧が０Ｖとなる。
【０１０８】
したがって、非反転側および反転側のいずれの水平期間においても、輝度が０ＩＲＥになるとともに、このとき、透明電極駆動電圧とコモンアノード駆動電圧との差の電圧としては、４水平周期の単位時間に１回ずつ、それぞれ輝度を０ＩＲＥより高くするような正のスパイク電圧Ｖｐおよび負のスパイク電圧Ｖｍを生じるだけであり、第１の実施形態より一層、コントラストの低下が軽減される。
【０１１０】
〔他の実施形態または例〕
上述した第１および第２の実施形態は、ＰＡＬＣ表示素子１の液晶印加電圧−輝度（透過率）の特性が、液晶印加電圧の増加とともに輝度（透過率）が増加する特性となる場合であるが、逆に液晶印加電圧の増加とともに輝度（透過率）が低下する特性となる場合にも、この発明を適用することができる。
【０１１１】
さらに、上述した例は、ＰＡＬＣ表示素子１の信号電極が透明電極１１（１１Ｒ，１１Ｇ，１１Ｂ）であり、信号電極に印加する電圧を透明電極駆動電圧とした場合であるが、カラーフィルタ１０（１０Ｒ，１０Ｇ，１０Ｂ）を導電体によって形成して、カラーフィルタ１０に信号電極を兼ねさせることもでき、その場合には、カラーフィルタ１０と別に透明電極１１を形成する必要はない。すなわち、信号電極は、必ずしも透明電極である必要はない。
【０１１２】
【発明の効果】
上述したように、第１の発明によれば、コモンアノード反転駆動方式によってプラズマアドレス型液晶表示素子を駆動する場合に、コントラストの低下を軽減することができる。
【０１１３】
第２の発明によれば、コモンアノード反転駆動方式によってプラズマアドレス型液晶表示素子を駆動する場合に、さらに、無駄な電力消費を低減することができる。
【図面の簡単な説明】
【図１】この発明のＰＡＬＣ表示装置の一実施形態の全体構成を示す図である。
【図２】プラズマドライバの一例を示す図である。
【図３】第１の実施形態の透明電極駆動部の一例を示す図である。
【図４】第１の実施形態における透明電極駆動電圧の生成態様を示す図である。
【図５】映像信号電圧と走査パルスとのタイミング関係の一例を示す図である。
【図６】第１の実施形態における輝度を１００ＩＲＥにするときの液晶印加電圧の態様を示す図である。
【図７】第１の実施形態における輝度を０ＩＲＥにするときの液晶印加電圧の態様を示す図である。
【図８】第１の実施形態におけるマゼンタ表示時の隣接する透明電極間の容量への充電を示す図である。
【図９】第２の実施形態の透明電極駆動部の一例を示す図である。
【図１０】第２の実施形態における透明電極駆動電圧の生成態様を示す図である。
【図１１】第２の実施形態におけるマゼンタ表示時の隣接する透明電極間の容量への充電を示す図である。
【図１２】第２の実施形態における輝度を０ＩＲＥにするときの液晶印加電圧の態様を示す図である。
【図１３】ＰＡＬＣ表示素子の一例を示す図である。
【図１４】プラズマチャンネルの形成の様子を示す図である。
【図１５】プラズマチャンネルの形成によって液晶層に信号電圧が印加される様子を示す図である。
【図１６】ＰＡＬＣ表示素子の液晶印加電圧−透過率（輝度）の特性の一例を示す図である。
【図１７】従来の駆動方法における輝度を１００ＩＲＥにするときの液晶印加電圧の態様を示す図である。
【図１８】従来の駆動方法における輝度を０ＩＲＥにするときの液晶印加電圧の態様を示す図である。
【図１９】従来の駆動方法におけるマゼンタ表示時の隣接する透明電極間の容量への充電を示す図である。
【符号の説明】
主要部については図中に全て記述したので、ここでは省略する。
【図１】
0004406993.tif 000002
【図２】
0004406993.tif 000003
【図３】
0004406993.tif 000004
【図４】
0004406993.tif 000005
【図５】
0004406993.tif 000006
【図６】
0004406993.tif 000007
【図７】
0004406993.tif 000008
【図８】
0004406993.tif 000009
【図９】
0004406993.tif 000010
【図１０】
0004406993.tif 000011
【図１１】
0004406993.tif 000012
【図１２】
0004406993.tif 000013
【図１３】
0004406993.tif 000014
【図１４】
0004406993.tif 000015
【図１５】
0004406993.tif 000016
【図１６】
0004406993.tif 000017
【図１７】
0004406993.tif 000018
【図１８】
0004406993.tif 000019
【図１９】
0004406993.tif 000020